(57)【特許請求の範囲】
【請求項１】
基地局間の協調送信に使用される同期信号を発生する同期信号発生装置であって、
所定のゲート幅を有するゲート信号を生成するゲート信号生成手段と、
協調送信を実現するのに必要な４［マイクロ秒］以下の同期時間精度で所定時間間隔毎に生成された毎正秒の時刻定義部分を有するパルスからなるＧＰＳのＰＰＳ基準信号と、前記ゲート信号生成手段で生成された前記ゲート信号とが入力され、前記ゲート信号のゲート幅内に含まれる前記ＰＰＳ基準信号のパルスを前記同期信号として通過させて出力するゲート制御回路と、を備え、
前記ゲート信号生成手段は、前記ＰＰＳ基準信号のパルス毎に生成された時刻情報を含む時刻基準情報が入力され、前記時刻情報信号に含まれる時刻情報に対応させて、前記ＰＰＳ基準信号のパルスの１周期よりも短く当該パルスの時刻定義部分よりも長いゲート幅を有するゲート信号を生成することを特徴とする同期信号発生装置。
【請求項２】
請求項１の同期信号発生装置において、
前記ゲート信号生成手段は、同期信号の目標時間精度よりも時間精度の低い、所定の制御プログラムが実行されることにより前記ゲート信号を生成するコンピュータ装置を用いて構成されていることを特徴とする同期信号発生装置。
【請求項３】
請求項１又は２の同期信号発生装置において、
前記ゲート信号生成手段は、前記コンピュータ装置内のクロックに基づいて前記時刻情報信号の欠落の有無を判断することを特徴とする同期信号発生装置。
【請求項４】
請求項１又は２の同期信号発生装置において、
前記時刻情報信号を計数するカウンタを更に備え、
前記ゲート信号生成手段は、前記カウンタの計数結果に基づいて前記時刻情報信号の欠落の有無を判断することを特徴とする同期信号発生装置。
【請求項５】
請求項３又は４の同期信号発生装置において、
前記ゲート信号生成手段は、前記時刻情報信号の欠落があったと判断した場合、入力済みの過去の時刻情報信号に基づいて前記ゲート信号の生成を継続し、前記時刻情報信号の欠落があった旨の情報を出力することを特徴とする同期信号発生装置。
【請求項６】
請求項１乃至５のいずれかの同期信号発生装置において、
前記ＰＰＳ基準信号を生成する基準信号生成手段を更に備えたことを特徴とする同期信号発生装置。
【請求項７】
基地局間の協調送信に使用される同期信号を発生する同期信号発生手段と、前記同期信号に基づいて所定のタイミングに送信する無線送信装置とを備えた基地局であって、
前記同期信号発生手段として、請求項１乃至６のいずれかの同期信号発生装置を備えたことを特徴とする基地局。
【請求項８】
互いに協調送信が可能な複数の基地局を含む通信システムであって、
前記複数の基地局はそれぞれ、請求項７の基地局であることを特徴とする通信システム。
【請求項９】
基地局間の協調送信に使用される同期信号を発生する同期信号発生方法であって、
協調送信を実現するのに必要な４［マイクロ秒］以下の同期時間精度で所定時間間隔毎に生成された毎正秒の時刻定義部分を有するパルスからなるＧＰＳのＰＰＳ基準信号が入力されるステップと、
前記ＰＰＳ基準信号のパルス毎に生成された時刻情報を含む時刻情報信号が入力されるステップと、
前記時刻情報信号に含まれる時刻情報に対応させて、前記ＰＰＳ基準信号のパルスの１周期よりも短く当該パルスの時刻定義部分よりも長いゲート幅を有するゲート信号を生成するステップと、
前記ゲート信号のゲート幅内に含まれる前記ＰＰＳ基準信号のパルスを、前記同期信号として通過させて出力するステップと、
を含むことを特徴とする同期信号発生方法。
【発明の詳細な説明】
【技術分野】
【０００１】
本発明は、基地局間の協調送信に使用される同期信号を発生する同期信号発生装置及びその方法、並びに、その同期信号発生装置を備えた基地局及び通信システムに関するものである。
【背景技術】
【０００２】
近年、有限かつ稀少な電波を有効活用すべく、周波数の高度利用のための各種技術の研究開発が推進されている。例えば移動体通信の分野では、互いに大きさの異なるマクロセル、ミクロセル、フェムトセル、ピコセル等の無線通信エリア（セル）が混在している環境に通信端末（ユーザ装置）が位置している場合にスループットを最大化できるように複数の基地局と通信端末との間の無線通信を制御する技術の開発が進められている。
【０００３】
従来、複数の基地局のセルが重複しているエリアに通信端末が位置するときに、それら複数の基地局が協調し各基地局から当該通信端末にタイミングを合わせて同期送信することができるシステムが知られている（例えば、特許文献１参照）。このようなシステムでは、互いに協調して送信する複数の基地局間で同期をとる必要があり、しかも、その同期の精度として、協調送信を実現するのに必要な時間精度（例えば、１マイクロ秒程度の時間精度）が要求される。そのため、各基地局には、協調送信を実現するのに必要な同期時間精度を有する高精度の同期信号を発生する同期信号発生装置が設けられている。
【０００４】
図５は、従来の同期信号発生装置の概略構成例を示すブロック図である。この同期信号発生装置９００は、時刻基準クロック信号生成回路９１０と同期信号出力回路９２０とを備える。時刻基準クロック信号生成回路９１０は、ＧＰＳ（Global Positioning System）受信機９３０から出力されるＰＰＳ（Pulse Per Second）基準信号とクロック信号（例えば周波数：１０ＭＨｚ）との時刻情報信号（例えばＮＭＥＡ（National Marine Electronics Association）フォーマット）とに基づいて、時刻情報信号の時刻情報と一致するタイミングで毎正秒の時刻基準クロック信号を生成する。クロック信号生成回路９１０で生成された時刻基準クロック信号は、同期信号出力回路９２０を介して基地局内の無線送信装置に、同期信号として出力される。時刻基準クロック信号生成回路９１０は制御用コンピュータ９４０で制御される。
【発明の概要】
【発明が解決しようとする課題】
【０００５】
しかしながら、上記従来の同期信号発生装置では、時刻基準クロック信号生成回路９１０で使用される基準クロック信号の動作周波数が１０ＭＨｚ又はそれと同程度の高周波であり、高速且つ複雑な処理を必要とした。そのため、時刻基準クロック信号生成回路９１０が複雑な構成のＦＰＧＡ（Field-Programmable Gate Array）からなるハードウェアで構成され、同期信号発生装置が大型及び高コストになるという問題点がある。
【０００６】
本発明は以上の問題点に鑑みなされたものであり、その目的は、小型化及び低コスト化を図りつつ、基地局間の協調送信を実現するのに必要な同期時間精度を有する高精度の同期信号を発生することができる同期信号発生装置及びその方法、並びに、その同期信号発生装置を備えた基地局及び通信システムを提供することである。
【課題を解決するための手段】
【０００７】
本発明に係る同期信号発生装置は、基地局間の協調送信に使用される同期信号を発生する同期信号発生装置であって、所定のゲート幅を有するゲート信号を生成するゲート信号生成手段と、協調送信を実現するのに必要な４［マイクロ秒］以下の同期時間精度で所定時間間隔毎に生成された毎正秒の時刻定義部分を有するパルスからなるＧＰＳのＰＰＳ基準信号と、前記ゲート信号生成手段で生成された前記ゲート信号とが入力され、前記ゲート信号のゲート幅内に含まれる前記ＰＰＳ基準信号のパルスを前記同期信号として通過させて出力するゲート制御回路と、を備え、前記ゲート信号生成手段は、前記ＰＰＳ基準信号のパルス毎に生成された時刻情報を含む時刻情報信号が入力され、前記時刻情報信号に含まれる時刻情報に対応させて、前記ＰＰＳ基準信号のパルスの１周期よりも短く当該パルスの時刻定義部分よりも長いゲート幅を有するゲート信号を生成することを特徴とするものである。
前記同期信号発生装置において、前記ゲート信号生成手段は、所定の制御プログラムが実行されることにより前記ゲート信号を生成するコンピュータ装置を用いて構成してもよい。
また、前記同期信号発生装置において、前記ゲート信号生成手段は、前記コンピュータ装置内のクロックに基づいて前記時刻情報信号の欠落の有無を判断してもよい。
また、前記同期信号発生装置において、前記時刻情報信号を計数するカウンタを更に備え、前記ゲート信号生成手段は、前記カウンタの計数結果に基づいて前記時刻情報信号の欠落の有無を判断してもよい。
また、前記同期信号発生装置において、前記ゲート信号生成手段は、前記時刻情報信号の欠落があったと判断した場合、入力済みの過去の時刻情報信号の時刻情報に基づいて前記ゲート信号の生成を継続し、前記時刻情報信号の欠落があった旨の情報を出力してもよい。
また、前記同期信号発生装置において、前記ＰＰＳ基準信号を生成する基準信号生成手段を更に備えてもよい。
【０００８】
本発明に係る基地局は、基地局間の協調送信に使用される同期信号を発生する同期信号発生手段と、前記同期信号に基づいて所定のタイミングに送信する無線送信装置とを備えた基地局であって、前記同期信号発生手段として、前記いずれかの同期信号発生装置を備えたことを特徴とするものである。
また、本発明に係る無線通信システムは、互いに協調送信が可能な複数の基地局を含む無線通信システムであって、前記複数の基地局はそれぞれ前述の基地局であることを特徴とするものである。
【０００９】
本発明に係る同期信号発生方法は、基地局間の協調送信に使用される同期信号を発生する同期信号発生方法であって、協調送信を実現するのに必要な４［マイクロ秒］以下の同期時間精度で所定時間間隔毎に生成された毎正秒の時刻定義部分を有するパルスからなるＧＰＳのＰＰＳ基準信号が入力されるステップと、前記ＰＰＳ基準信号のパルス毎に生成された時刻情報を含む時刻情報信号が入力されるステップと、前記時刻情報信号に含まれる時刻情報に対応させて、前記ＰＰＳ基準信号のパルスの１周期よりも短く当該パルスの時刻定義部分よりも長いゲート幅を有するゲート信号を生成するステップと、前記ゲート信号のゲート幅内に含まれる前記ＰＰＳ基準信号のパルスを、前記同期信号として通過させて出力するステップと、を含むことを特徴とするものである。
前記同期信号発生方法において、前記ゲート信号は、コンピュータ装置で所定の制御プログラムが実行されることにより生成してもよい。
また、前記同期信号発生方法において、前記コンピュータ装置内のクロックに基づいて前記時刻情報信号の欠落の有無を判断するステップを更に含んでもよい。
また、前記同期信号発生方法において、前記時刻情報信号を計数するステップと、前記時刻情報信号の計数結果に基づいて前記時刻情報信号の欠落の有無を判断するステップと、を更に含んでもよい。
また、前記同期信号発生方法において、前記時刻情報信号の欠落があったと判断した場合、入力済みの過去の時刻情報信号に基づいて前記ゲート信号の生成を継続し、前記時刻情報信号の欠落があった旨の情報を出力するステップを更に含んでもよい。
また、前記同期信号発生方法において、前記ＰＰＳ基準信号を生成するステップを更に含んでもよい。
【発明の効果】
【００１０】
本発明によれば、協調送信を実現するのに必要な４［マイクロ秒］以下の同期時間精度で所定時間間隔毎に生成された毎正秒の時刻定義部分を有するパルスからなるＧＰＳのＰＰＳ基準信号が入力され、そのＰＰＳ基準信号のパルス毎に生成された時刻情報を含む時刻情報信号が入力される。この時刻情報信号に含まれる時刻情報に対応させて、上記ＰＰＳ基準信号のパルスの１周期よりも短く当該パルスの時刻定義部分よりも長いゲート幅を有するゲート信号が生成される。このゲート信号は上記所定のゲート幅を有するため、そのゲート幅内には上記ＰＰＳ基準信号のパルスが一つだけ含まれる。従って、ゲート信号のゲート幅内に含まれるＰＰＳ基準信号の一つのパルスを、上記時刻情報に対応する同期信号として通過させて出力することができる。そして、このＰＰＳ基準信号のパルスは、協調送信を実現するのに必要な４［マイクロ秒］以下の同期時間精度を有するので、基地局間の協調送信を実現するのに必要な同期時間精度を有する高精度の同期信号として発生させることができる。
しかも、上記同期信号の発生に用いられるゲート信号は、上記ＰＰＳ基準信号のパルスを一つ含むように設定すればよく、その立ち上がり、立ち下がり及びゲート幅に高い時間精度が要求されず、同期信号の目標時間精度よりも精度の低い時間精度で済む。従って、同期信号を生成する部分の回路構成が簡易になり、装置の小型化及び低コスト化を図ることができる。
以上のように、本発明によれば、小型化及び低コスト化を図りつつ、基地局間の協調送信を実現するのに必要な同期時間精度を有する高精度の同期信号を発生することができる。
【図面の簡単な説明】
【００１１】
【図１】本発明の一実施形態に係る同期信号発生装置を有する複数の基地局を備えた通信システムの構成の一例を示す説明図。
【図２】同期信号発生装置の構成の一例を示すブロック図。
【図３】ＰＰＳ基準信号とゲート信号と同期信号との関係の一例を示すタイムチャート。
【図４】同期信号の生成に用いられるＰＰＳ基準信号、時刻情報信号及びゲート信号それぞれを実際に測定した波形の一例を示す図。
【図５】従来の同期信号発生装置の概略構成を示すブロック図。
【発明を実施するための形態】
【００１２】
以下、図面を参照して本発明の実施の形態を説明する。
図１は、本発明の一実施形態に係る同期信号発生装置を有する複数の基地局を備えた通信システムの構成の一例を示す説明図である。本実施形態に係る通信システム１０は、相互に通信可能に接続された複数の基地局１１、１２を備えている。複数の基地局１１、１２は同期信号に基づいて互いに協調し、各基地局１１、１２の無線通信エリアが重複したエリアに存在する移動局である通信端末（以下「端末」という。）２０に、送信タイミングを合わせた無線通信により、送信データであるパケットを同期送信することができる。この同期送信により、端末２０によるパケット通信時におけるスループットの向上、通信品質の向上および通信帯域の有効利用を実現できる。
【００１３】
なお、本実施形態では、互いに協調してパケットを同期送信する複数の基地局が２つである場合について説明するが、当該複数の基地局は３つ以上であってもよい。また、本実施形態では、複数の基地局から同期送信された複数のパケットを１台の端末で受信する場合について説明するが、当該同期送信された複数のパケットを受信する端末は複数台であってもよい。
【００１４】
通信システム１０は、複数の基地局１１、１２に送信データであるパケットを分配するパケット分配元のノードである送信データ分配装置としてのパケット分配装置１３を含んでもよい。パケット分配装置１３は、パケット通信網１４を介して外部のネットワークと通信することができる。パケット分配装置１３と複数の基地局１１、１２とは、パケット通信網１５を介して接続されている。通信システム１０は、パケット通信網１５を含んでもよい。また、通信システム１０は、複数の基地局１１、１２から同期送信される複数のパケットを受信可能な端末２０を含んでもよい。また、端末２０は、通信サービスの利用者によって使用されるためユーザ装置（ＵＥ：User Equipment）と呼ばれる場合があり、移動可能なものであるため移動局と呼ばれる場合もあり、また、無線機と呼ばれる場合もある。
【００１５】
基地局１１、１２及びパケット通信網１５等で構築されるネットワークは、移動体通信ネットワークのセルラーネットワークであってもよい。パケット通信網１４は、移動体通信ネットワークのコアネットワークであってもよい。基地局１１、１２の無線通信エリアはそれぞれ、互いに大きさが異なるマクロセル、マイクロセル、フェムトセル、ピコセル等の各種セルのいずれかであってもよい。また、基地局１１、１２は、３ＧＰＰ（Third Generation Partnership Project）の仕様においては「ＮｏｄｅＢ」と呼ばれたり、更に、ＬＴＥ（Long Term Evolution）の仕様では発展型のＮｏｄｅＢとして「ｅＮｏｄｅＢ（evolved Node B）」と呼ばれる場合がある。
【００１６】
また、基地局１１、１２はそれぞれ、次のような同期信号発生方法により、複数の基地局間の協調送信に使用される同期信号を発生する。すなわち、基地局１１、１２にはそれぞれ、協調送信を実現するのに必要な同期時間精度で１秒毎のパルスからなる基準信号としてのＰＰＳ（Pulse Per Second）基準信号が入力され、そのＰＰＳ基準信号のパルス毎に生成された時刻情報信号が入力される。そして、その時刻情報信号に含まれる時刻情報に対応させて、ＰＰＳ基準信号のパルスの１周期よりも短く当該パルスの時刻定義部分よりも十分長いゲート幅を有するゲート信号を生成する。このゲート信号のゲート幅内に含まれるＰＰＳ基準信号のパルスを同期信号として前記同期送信に用いる。ここで、上記ＰＰＳ基準信号のパルスの時刻定義部分は、当該パルスにおける時刻の定義に用いられる部分である。通常は、当該パルスの立ち上がり部分が時刻定義部分として用いられる。
【００１７】
なお、本実施形態では、上記基準信号が１秒毎のパルスからなるＰＰＳ基準信号の場合について説明するが、本発明は、上記基準信号が複数秒毎のパルスからなるＰＰＳ基準信号（例えば、２秒毎のパルスからなるＰＰ２Ｓ（Pulse Per 2 Seconds）基準信号）あるいは１秒間に複数回発生する基準信号（例えば、１秒間に５パルス発生する５ＰＰＳ（５Pluses per Seconds）の場合にも同様に適用することができる。
また、本実施形態で例示する上記基準信号の時間精度（協調送信を実現するのに必要な同期時間精度）は、例えば１マイクロ秒以下であるが、この時間精度に限定されるものではない。協調送信を実現するのに必要な同期時間精度は、例えば基地局間で同期送信を行う通信システムの構成や同期送信の方式等によって異なる場合があるので、それぞれの場合における協調送信を実現するのに必要な同期時間精度に応じて上記基準信号の時間精度が要求される。例えば、基地局間で同期送信を行う通信システムの構成や同期送信の方式等によっては、１マイクロ秒以下の時間精度を有する基準信号ではなく、４マイクロ秒以下又は１６マイクロ秒以下等の他の時間精度を有する基準信号を使用できる場合もあり得る。
【００１８】
図２は、本発明の一実施形態に係る同期信号発生装置の構成の一例を示すブロック図である。この同期信号発生装置１００は、同期信号生成手段としてのＰＰＳゲート制御回路１１０と、同期信号出力回路１２０と、ゲート信号生成手段としてのコンピュータ装置である制御用コンピュータ１３０とを備える。これらの構成のうちＰＰＳゲート制御回路１１０と同期信号出力回路１２０は、例えば電気回路基板やＦＰＧＡ（Field-Programmable Gate Array）等のハードウェア要素として構成することができる。また、同期信号発生装置１００は、例えば複数の基地局１１，１２それぞれに組み込まれる。
【００１９】
ＰＰＳゲート制御回路１１０は、協調送信を実現するのに必要な同期時間精度で１秒毎に生成されたパルスからなるＰＰＳ基準信号と、制御用コンピュータ１３０で生成されたゲート信号とが入力される。ＰＰＳ基準信号は、ＧＰＳ（Global Positioning System）受信機２００から出力される。ＰＰＳゲート制御回路１１０は、上記ゲート信号のゲート幅内に含まれるＰＰＳ基準信号のパルスを同期信号として生成する同期信号生成手段として機能する。
【００２０】
なお、本実施形態では、ＰＰＳ基準信号及び時刻情報信号を出力する時間関連信号出力手段としてＧＰＳ受信機２００を用いているが、上記時間関連信号出力手段は、ＰＰＳ基準信号及び時刻情報信号を出力可能なものであれば他の装置であってもよい。例えば、上記時間関連信号出力手段は、ＰＰＳ基準信号及び時刻情報信号を出力できるようにネットワーク上に設けられたＮＴＰ（Network Time Protocol ）サーバや、ＪＪＹ等の標準電波局から送信される標準電波を受信する受信機であってもよい。
【００２１】
同期信号出力回路１２０は、ＰＰＳゲート制御回路１１０で生成された同期信号を所定の大きさまで増幅して出力したり、同期信号を受ける外部回路との間のインピーダンス整合を行ったりする機能を有する。
【００２２】
制御用コンピュータ１３０は、例えばＣＰＵ、半導体メモリ（ＲＯＭ、ＲＡＭ）等の内部記憶装置、Ｉ／Ｏインターフェース、ＨＤＤなどの外部記憶装置等を用いて構成されたパーソナルコンピュータであり、内部記憶装置や外部記憶装置から読み出された所定の制御プログラムが実行されるが、動作基準のクロックの精度が低い（例えば、数１０ミリセカンドの時間精度しか持たない）ため、同期信号の目標時間精度よりも動作精度が低い。制御用コンピュータ１３０は、上記所定の制御プログラムが実行されることにより、ＰＰＳ基準信号のパルス毎に生成された時刻情報を含む時刻情報信号が入力され、その時刻情報信号に基づいて、ＰＰＳ基準信号のパルスの１周期よりも短く当該パルスの時刻定義部分よりも十分長いゲート幅を有するゲート信号を生成するゲート信号生成手段として機能する。このゲート信号は、上記ＰＰＳ基準信号のパルスを一つ含むように設定すればよく、その立ち上がり、立ち下がり及びゲート幅に高い時間精度が要求されない。そのため、上記所定のゲート幅及び時間精度を有するゲート信号は、同期信号の目標時間精度よりも精度の低い制御用コンピュータ１３０によっても確実に生成することができる。
【００２３】
なお、本実施形態では、時刻情報信号が入力されるたびにゲート信号を生成しているが、複数の時刻情報信号ごとに（例えば、２つの時刻情報信号ごとに、又は３以上の時刻情報信号ごとに）ゲート信号を生成したり、所定時刻の時刻情報信号に対応付けてゲート信号を生成してもよい。また、本実施形態では、上記時刻情報信号は、ＧＰＳ受信機２００から出力されるＮＭＥＡフォーマットに準拠した信号であり、「ＮＭＥＡ信号」と呼ばれる場合もあるが、時刻を正確に伝達する信号であれば、独自フォーマットの信号であってもよい。
【００２４】
また、上記ゲート信号生成手段は、本実施形態のように所定の制御プログラムが実行される制御用コンピュータ（コンピュータ装置）１３０で実現してもよいが、装置内に簡単に組み込むことが可能な同等な機能を有するプロセッサ（制御用小型プロセッサ）で実現してもよい。この場合、制御プログラムを一定規模の回路へ実装することになるが、従来装置（図５参照）に比べてはるかに小さな規模・コストで実現できる。
【００２５】
図３は、ＰＰＳ基準信号とゲート信号と同期信号との関係の一例を示すタイムチャートである。図示のように、ＰＰＳ基準信号１００１は、協調送信を実現するのに必要な同期時間精度で１秒毎に生成された複数のパルスからなるパルス列であり、通常は正確な毎正秒がパルスの立ち上がり（図中の上矢印部分）で定義される。また、そのＰＰＳ基準信号１００１のパルスの周期Ｔｐｐｓは１秒であるが、そのパルスの時刻を定義する時刻定義部分１００５は信号レベルが立ち上がっている部分である。また、ゲート信号１００２は、時刻情報信号１００３が入力されるたびに、その時刻情報信号１００３に対応付けて生成される。ゲート信号１００２のゲート幅Ｔｇは、ＰＰＳ基準信号１００１のパルスの１周期（Ｔｐｐｓ）よりも短く、且つ、パルスの立ち上がり部分（時刻定義部分）が十分にその期間内にあるように（たとえば、パルスの半周期（Ｔｐｐｓ／２）よりも長くなるように）設定される。また、ゲート信号１００２は、そのゲート信号１００２に対応するＰＰＳ基準信号１００１の一つのパルス１００１ｐの立ち上がり部分（時刻定義部分）が当該ゲート信号１００２のゲート幅Ｔｇ内に確実に位置するように立ち上がる。
【００２６】
ＰＰＳゲート制御回路１１０は、ゲート信号１００２のゲート幅Ｔｇ内にＰＰＳ基準信号１００１の一つのパルス１００１ｐが位置するとき、そのパルス１００１ｐを同期信号１００４として生成する。
【００２７】
図４は、本実施形態に基づく制御回路を試験動作させ、同期信号の生成に用いられるＰＰＳ基準信号、時刻情報信号及びゲート信号それぞれを実際に測定した波形の一例を示す図である。図４において、ゲート信号１００２は、時刻情報信号１００３から所定の遅れ時間Ｔｄが経過したタイミングで立ち上がるように生成される。このゲート信号１００２のゲート幅Ｔｇ内に、ＰＰＳ基準信号の一つのパルス１００１が位置するとき、そのパルス１００１が同期信号として生成される。
【００２８】
以上、本実施形態によれば、協調送信を実現するのに必要な同期時間精度で所定時間間隔毎に（１秒毎）に生成されたパルスからなるＰＰＳ基準信号が入力され、そのＰＰＳ基準信号のパルス毎に生成された時刻情報を含む時刻情報信号が入力される。この時刻情報信号に基づいて、当該時刻情報信号に対応するように、ＰＰＳ基準信号のパルスの１周期よりも短く当該パルスの時刻定義部分よりも長いゲート幅を有するゲート信号が生成される。このゲート信号は上記所定のゲート幅を有するため、そのゲート幅内にはＰＰＳ基準信号のパルスが一つだけ含まれる。従って、ゲート信号のゲート幅内に含まれるＰＰＳ基準信号の一つのパルスを、上記時刻情報信号に対応する同期信号として生成することができる。この同期信号として生成されるＰＰＳ基準信号のパルスは、協調送信を実現するのに必要な同期時間精度を有するので、基地局１１，１２間の協調送信を実現するのに必要な同期時間精度を有する高精度の同期信号として発生させることができる。
しかも、上記同期信号の発生に用いられるゲート信号は、上記ＰＰＳ基準信号のパルスを一つ含むように設定すればよく、その立ち上がり、立ち下がり及びゲート幅に高い時間精度が要求されない。従って、同期信号を生成する部分の回路構成が簡易になり、装置の小型化及び低コスト化を図ることができる。
より具体的には、例えば、図５に示した従来の同期信号発生装置９００における時刻基準クロック信号生成回路９１０及び同期信号出力回路９２０からなるハードウェア回路要素のサイズは４００ｍｍ×３２０ｍｍであった。これに対し、本実施形態の同期信号発生装置１００におけるＰＰＳゲート制御回路１１０及び同期信号出力回路１２０からなるハードウェア回路要素のサイズは１２０ｍｍ×１８０ｍｍであり、従来の６分の１程度の面積まで小型化を図ることができた。
【００２９】
また、本実施形態によれば、ゲート信号生成手段を、同期信号の目標時間精度よりも時間精度の低い、所定の制御プログラムが実行されることによりゲート信号を生成するコンピュータ装置としての制御用コンピュータ１３０を用いて構成しているので、上記ゲート信号の生成をより汎用的で制御内容の変更が容易なソフトウェア制御で行うことができる。
【００３０】
なお、上記実施形態において、ＧＰＳ受信機２００のリセットやＧＰＳ衛星の混乱などによって上記時刻情報信号がＧＰＳ受信機２００から正確に一定時間間隔おきに（上記実施形態の場合は、１秒おきに）出力されない場合がある。すなわち、時刻情報信号の「ブランク」があり得る。このような時刻情報信号の「ブランク」があると、上記ゲート信号が生成されず、ＰＰＳゲート制御回路１１０における同期信号の生成が行われなかったり同期信号の生成動作が正常に行われなくなったりする。
【００３１】
そこで、上記実施形態の同期信号発生装置１００において、上記ゲート信号生成手段としての制御用コンピュータ１３０は、その制御用コンピュータ１３０内のクロックに基づいて時刻情報信号の欠落の有無を判断するようにソフトウェア制御を行ってもよい。
また、上記実施形態の同期信号発生装置１００において、ＧＰＳ受信機２００から出力される時刻情報信号を計数するカウンタを更に備え、上記ゲート信号生成手段としての制御用コンピュータ１３０は、そのカウンタの計数結果に基づいて時刻情報信号の欠落の有無を判断するようにソフトウェア制御を行ってもよい。
このように時刻情報信号の欠落の有無を判断することにより、時刻情報信号の欠落があった場合に所定のエラー処理を行うことにより、ＰＰＳゲート制御回路１１０における同期信号の生成動作の安定性及び確実性を確保することができる。
【００３２】
上記エラー処理としては、例えば、上記クロックに基づいて欠落があった時刻情報を推定してゲート信号を継続して生成するようにソフトウェア制御を行う。また、入力済みの過去の時刻情報信号に基づいて欠落があった時刻情報を推定してゲート信号を継続して生成するようにソフトウェア制御を行ってもよい。これにより、ＰＰＳゲート制御回路１１０における同期信号は継続して生成することができ、同期信号を利用する基地局や協調制御装置に出力することができる。
【００３３】
なお、上記実施形態において、同期信号発生装置１００は、ＰＰＳ基準信号を生成するＧＰＳ受信機２００等の基準信号生成手段を内蔵してもよい。この場合は、ＧＰＳ受信機２００等の基準信号生成手段を別途設けることができない環境下においても、基地局１１，１２間の協調送信を実現するのに必要な同期時間精度を有する高精度の同期信号を出力することができる。
【符号の説明】
【００３４】
１０  通信機システム
１１、１２  基地局
２０  端末
１００  同期信号発生装置
１１０  ＰＰＳゲート制御回路
１２０  同期信号出力回路
１３０  制御用コンピュータ
２００  ＧＰＳ受信機
【先行技術文献】
【特許文献】
【００３５】
【特許文献１】特開２００９−１７１３８２号公報
【図１】
0005749540.tif 000002
【図２】
0005749540.tif 000003
【図３】
0005749540.tif 000004
【図４】
0005749540.tif 000005
【図５】
0005749540.tif 000006